(57)【特許請求の範囲】
【請求項１】
撮像手段と、
外部と通信を行う通信手段と、
前記通信手段による通信よりも前記撮像手段による撮像動作を優先させるモードが設定されている場合で、且つ、前記通信手段で通信中に前記撮像手段による撮像操作を行うと、前記通信を保留にして前記撮像操作を実行するよう制御する制御手段と、
保留状態が一定時間経過したら、前記通信を切断する切断手段
とを有することを特徴とするに記載の通信装置。
【請求項２】
前記撮像手段が着脱自在である請求項１に記載の通信装置。
【請求項３】
撮像機能と通信機能を有する通信装置の制御方法であって、
前記通信機能による通信よりも前記撮像機能による撮像動作を優先する撮像優先モードを設定する撮像優先モード設定ステップと、
前記撮像優先モード設定ステップによって前記撮像優先モードが設定されていて、且つ前記通信機能による通信中に前記撮像機能に関する入力操作が行われると、通信を保留にして前記入力操作を受け付けるよう制御する制御ステップと、
保留状態が一定時間経過したら、前記通信を切断する切断ステップ
とを有することを特徴とする制御方法。
【発明の詳細な説明】
【０００１】
【発明の属する技術分野】
本発明は、撮像した画像を通信出力する通信装置及びその制御方法に関する。
【０００２】
【従来の技術】
撮影画像を静止画として、光ディスク装置、光磁気ディスク装置、固体メモリ素子を有するメモリ・カードなどの記録媒体に記録する電子スチル・カメラは周知である。メモリ・カードは可動部がなく、携帯に便利なことから、電子手帳、携帯型コンピュータなどのような小型情報機器の記録又は記憶媒体として及びデータ搬送媒体としての利用が有望視されている。
そこで、例えば電子スチル・カメラにより撮像した画像を携帯型コンピュータで利用したい場合、撮像画像を記録したメモリ・カードを当該携帯型コンピュータに接続し、さらに、遠隔地に転送したい場合には、所定のアプリケーション・ソフトウエア（例えば、通信ソフトウエア）を起動して、対象の撮像画像情報を読み込み送信するという操作をしなければならない。
つまり、撮像画像を即座に携帯型コンピュータ上で利用した場合でも面倒な操作をしなければならず、不便である。また、別体になっている電子スチル・カメラと携帯型コンピュータを一緒に持ち歩かなければならず、これもまた、不便である。
これを解決する手段として、撮像装置と一体で構成される通信装置が考えられている。
【０００３】
【発明が解決しようとする課題】
しかし、撮像機能と通信機能を一体に構成すると、通信中は撮像機能が、また反対に、撮像中には通信機能が制限されてしまう。例えば、どうしても撮像したい場面に遭遇した場合であっても誰かと通話中やデータの受信中であると、撮像動作ができないといった問題が生じる。
【０００４】
本発明は、このような不便を解消し、通信中であっても撮像動作を受け付けることができる通信装置及びその制御方法を提示することを目的とする。」
【０００５】
本発明に係る通信装置は、撮像手段と、外部と通信を行う通信手段と、前記通信手段による通信よりも前記撮像手段による撮像動作を優先させるモードが設定されている場合で、且つ、前記通信手段で通信中に前記撮像手段による撮像操作を行うと、前記通信を保留にして前記撮像操作を実行するよう制御する制御手段と、保留状態が一定時間経過したら、前記通信を切断する切断手段とを有することを特徴とする。
本発明に係る通信装置の制御方法は、撮像機能と通信機能を有する通信装置の制御方法であって、前記通信機能による通信よりも前記撮像機能による撮像動作を優先する撮像優先モードを設定する撮像優先モード設定ステップと、前記撮像優先モード設定ステップによって前記撮像優先モードが設定されていて、且つ前記通信機能による通信中に前記撮像機能に関する入力操作が行われると、通信を保留にして前記入力操作を受け付けるよう制御する制御ステップと、保留状態が一定時間経過したら、前記通信を切断する切断ステップとを有することを特徴とする。
【００１１】
【実施例】
以下、図面を参照して本発明の実施例を説明する。
【００１２】
図１は、本発明の一実施例の概略構成ブロック図を示す。１００は撮像ユニット、２００は、当該撮像ユニット１００による撮影画像を記録媒体３００に記録再生し、外部に通信し、利用する処理ユニットである。撮像ユニット１００は処理ユニット２００に着脱自在であり、また、記録媒体３００は処理ユニット２００に着脱自在である。
【００１３】
撮像ユニット１００の構成を説明する。１０は撮影レンズ、１２は絞り機能を具備するシャッタ、１４は光学像を電気信号に変換する撮像素子、１６は撮像素子１４のアナログ出力をディジタル信号に変換するＡ／Ｄ変換器である。撮像素子１４とＡ／Ｄ変換器１６との間に、ガンマ補正、色バランス調整、輝度／色差信号への変換などの公知のカメラ信号処理を行なうプロセス回路を設ける場合もある。
【００１４】
１８は画像メモリ、２０は画像データを適応離散コサイン変換（ＡＤＣＴ）等により圧縮伸長する圧縮伸長回路、２２は、画像メモリ１８の書込み読出し、及び圧縮伸長回路２０のデータ入出力を制御するメモリ制御回路である。メモリ制御回路２２はＡ／Ｄ変換器１６からの撮影画像データを先ず画像メモリ１８に書き込む。
【００１５】
画像メモリ１８に記憶される画像データを圧縮する場合、メモリ制御回路２２は画像メモリ１８に記憶される画像データを読み出して圧縮伸長回路２０に供給し、圧縮伸長回路２０からの圧縮データを画像メモリ１８に書き込む。画像メモリ１８に記憶される圧縮画像データを伸長する場合、メモリ制御回路２２は画像メモリ１８に記憶される圧縮画像データを読み出して圧縮伸長回路２０に供給し、圧縮伸長回路２０からの復元画像データを画像メモリ１８に書き込む。
【００１６】
２４は、撮像ユニット１００の全体を制御する撮像制御回路（ＣＰＵ）、２６は、メモリ制御回路２２及び撮像制御回路２４の制御下で、撮像素子１４、Ａ／Ｄ変換器１６及びメモリ制御回路２２に所定のクロックを供給するクロック発生回路である。
【００１７】
２８はシャッタ１２を駆動するシャッタ駆動回路、３０は撮影レンズ１０のフォーカシング・レンズ及びズーミング・レンズを駆動するレンズ駆動回路、３２は被写体までの距離を測定する測距回路、３４は被写体の明るさを測定する測光回路、３６はフラッシュである。
【００１８】
３８は、撮像ユニット１００内の各部に電源を供給する充電可能な電池であり、撮像ユニット１００に着脱自在でも固定されていてもよく、更には、一部が固定、残りが着脱自在であってもよい。電池３８は、フラッシュ３６の充電並びにシャッタ駆動回路２８及びレンズ駆動回路３０のモータ駆動によるピーク電流にも充分対応できる容量のものが使用される。
【００１９】
４０は、電池３８の装着を検出する装着検出回路、電池３８の出力電圧を検出する電圧検出回路、ＤＣ−ＤＣコンバータ、及び通電するブロックを選択制御するスイッチを具備する電源制御回路である。電源制御回路４０は、電池３８の、装着の有無、電池の種類及び電池残量を検出し、その検出結果及び撮像制御回路２４の指示に従いＤＣ−ＤＣコンバータを制御し、必要な電圧を必要な期間、撮像ユニット１００内の各部に供給する。
【００２０】
４２は、撮像制御回路２４及び処理ユニット２００の動作プログラム及び制御定数を記憶するプログラム記憶回路（ＲＯＭ）、４４は、撮影画像データ、動作プログラム、制御データ等を情報ユニット２００との間で双方向転送するためのインターフェース、４６は撮像ユニット１００を処理ユニット２００に接続するためのコネクタである。コネクタ４６はデータ信号線及び制御信号線だけでなく、インターフェース４４及びプログラム記憶回路４２に処理ユニット２００から電源を供給するための電源線を具備する。電源制御回路４０はコネクタ４６を介して処理ユニット２００から制御信号及び電池３８の充電電流を受ける。電源制御回路４０はまた、電池３８からの電流を処理ユニット２００に供給することもできる。
【００２１】
撮像制御回路２４は、測距回路３２の測定結果に従いレンズ駆動回路３０を介して撮影レンズ１０のフォーカシング・レンズを駆動して撮影レンズ１０を合焦状態に制御する。撮像制御制御回路２４はまた、測光回路３４の測定結果により、最適露光量になるようにシャッタ駆動回路２８によりシャッタ１２の開放時間を決定する。これらは、ごく一般的な技術であり、本発明に特徴的なものではないので、詳細な説明は省略する。
【００２２】
処理ユニット２００の構成を説明する。１０２は処理ユニット２００の全体を制御する制御回路（ＣＰＵ）、１０４はＲＯＭ及びＲＡＭからなり、ＣＰＵ１０２の動作プログラムや各種制御変数などを記憶する記憶回路、１０６は文字や画像を映像表示する液晶表示装置及び音声出力のスピーカを具備する出力装置である。
【００２３】
１０８は撮像ユニット１００及び処理ユニット２００に所定の指示を入力する操作装置であり、メイン・スイッチ、撮影を実行するモードを指定する撮像スイッチ、レリーズ・ボタン、ダイヤリングのためのテンキー・スイッチ、及び通信開始を指示する通信スイッチなどを具備する。測距回路３２及び測光回路３４による測距及び測光を指示する測距測光スイッチが、レリーズ・スイッチの操作途中で閉成され、撮影開始を指示する撮影開始スイッチが、当該レリーズ・ボタンの操作完了で閉成される。
【００２４】
操作装置１０８としては、出力装置１０６の表示装置に各種の操作要素に応じた文字、図形、絵文字などを表示し、これらを、マウス、トラック・ボール、並びにタッチ・パネルと入力ペンにより操作入力するようにしてもよいことはいうまでもない。
【００２５】
１１０は、通信回線、例えばＩＳＤＮ回線との接続を制御する通信制御回路（ＣＣＵ）であり、内部に着信検出回路１１２を具備する。１１４は通信回線との接続用コネクタである。
【００２６】
１１６は撮像ユニット１００との通信用のインターフェース、１１８は撮像ユニット１００のコネクタ４６に接続するコネクタ、１２０は、撮像ユニット１００の着脱を機械的、電気的又は光学的に検出する撮像ユニット着脱検出回路である。
【００２７】
１２２は処理ユニット２００に着脱自在な電源であり、電池１２４とコネクタ１２６からなる。コネクタ１２６はコネクタ１２８に接続する。１３０は、電源制御回路４０と同様の電源制御回路であり、電源１２２の装着を検出する装着検出回路、電源１２２の電池１２４の出力電圧を検出する電圧検出回路、ＤＣ−ＤＣコンバータ、及び通電するブロックを選択制御するスイッチを具備する。電源制御回路１３０は、電池１２４の、装着の有無、電池の種類及び電池残量を検出し、コネクタ４６及び電源制御回路４０を介して撮像ユニット１００の電池３８との間で電力を融通する。
【００２８】
１３２は記録媒体３００との通信用のインターフェース、１３４は記録媒体３００を接続するためのコネクタである。
【００２９】
制御回路１０２、記憶回路１０４、出力装置１０６、操作装置１０８、通信制御回路１１０、インターフェース１１６、撮像ユニット着脱検出回路１２０、電源制御回路１３０及びインターフェース１３２は、バス１３６を介して相互に接続する。
【００３０】
記録媒体３００は、記録素子２０２、処理ユニット２００との通信用のインターフェース２０４及び、処理ユニット２００のコネクタ１３４に接続するコネクタ２０６からなる。記録素子２０２は例えば、ハードディスク装置、光ディスク、光磁気ディスク及び固体メモリ素子などからなる。本実施例では、フラッシュ・メモリ、電池バックアップされたダイナミック・ランダム・アクセス・メモリ、プログラマブル・リード・オンリー・メモリ（ＰＲＯＭ）などの固体メモリ素子を使用する。
【００３１】
次に、図２以降に示すフローチャートを参照して、本実施例の動作を説明する。図２は、本実施例の主ルーチンのフローチャートを示す。
【００３２】
処理ユニット２００に電源１２２を接続することにより、電源１２２の電池１２４の出力がコネクタ１２６，１２８を介して電源制御回路１３０に印加される。電源制御回路１３０は制御回路１０２及び記憶回路１０４に必要な電源電圧を供給し、制御回路１０２は記憶回路１０４に記憶される所定のプログラムを実行し、先ず初期設定する（Ｓ１）。
【００３３】
制御回路１０２は操作装置１０８のメイン・スイッチを調べる（Ｓ２）。メイン・スイッチがオフならば（Ｓ２）、制御回路１０２は、処理ユニット２００の各部で所定の終了処理を実行させた後、電源制御回路１３０に処理ユニット２００全体への電源供給を中止させる（Ｓ３）。メイン・スイッチがオンならば（Ｓ２）、制御回路１０２は、電源制御回路１３０に処理ユニット２００全体に電源を供給させ、出力装置１０６の映像表示装置に文字やアイコンなどの所定の映像を表示させる（Ｓ４）。
【００３４】
処理ユニット２００の全体が電源オン状態になると、着信の有無（Ｓ５）、通信スイッチのオン／オフ（Ｓ６）、及び撮像ユニット１００の接続の有無（Ｓ７）を調べる。撮像ユニット１００の接続の有無は、撮像ユニット着脱検出回路１２０により検出でき、撮像ユニット１００が装着されていないときには（Ｓ７）、映像及び／又は音声による所定の警告を出力装置１０６から出力させ（Ｓ８）、Ｓ２に戻る。
【００３５】
通信制御回路１１０内の着信検出回路１１２は、コネクタ１１４に接続する通信回線又は外部機器からの着信要求を検出する。着信要求があると、着信検出回路１１２は制御回路１０２に通知し、制御回路１０２は電源制御回路１３０に通知して、通信系に電源を供給させる（Ｓ９）。通信制御回路１１０は回線を接続し（Ｓ１０）、通信を実行する（Ｓ１１）。通信実行後、通信制御回路１１０は回線を切断し（Ｓ１２）、電源制御回路１３０は通信系への電源供給を中止して（Ｓ１３）、Ｓ２に戻る。
【００３６】
使用者が通信を望む場合には、操作装置１０８に含まれる通信スイッチを操作する。制御回路１０２は当該通信スイッチの操作に応じて、電源制御回路１３０に通信系へ電源を供給させる（Ｓ１４）。そして、制御回路１０２は、操作装置１０８のテン・キーなどで入力された又は既登録の相手先電話番号若しくはアドレスなどに従い、通信制御回路１１０に発信要求（発呼）を出力させる（Ｓ１５）。このアドレスには、ＷＡＮやＬＡＮなどのネットワークや電子メールにおけるユーザ・アドレス、ユーザ・コード及びユーザＩＤ等が含まれる。
【００３７】
外部機器又は通信相手との回線が確立すると（Ｓ１０）、通信を実行し（Ｓ１１）、その後、通信制御回路１１０は回線を切断し（Ｓ１２）、電源制御回路１３０は通信系への電源供給を中止して（Ｓ１３）、Ｓ２に戻る。
【００３８】
撮像ユニット１００が処理ユニット２００に装着されているとき（Ｓ７）、制御回路１０２は、操作装置１０８の撮像スイッチを調べる（Ｓ１６）。撮像スイッチがオンのとき（Ｓ１６）、プログラム記憶回路４２に記憶されている撮像プログラム（撮像ユニット１００を制御するプログラム）をインターフェース４４、コネクタ４６，１１８、インターフェース１１６及びバス１３６を介して読み込み、記憶回路１０４に格納する（Ｓ１７）。
【００３９】
撮像プログラムを記憶回路１０４に格納した後（Ｓ１７）、撮像ユニット１００の電源制御回路４０に指示して、撮像ユニット１００を電源供給状態にする（Ｓ１８）。次に、記憶回路１０４に格納される撮像プログラムを実行して、撮像ユニット１００に撮影を実行させる（Ｓ１９）。この撮影ルーチン（Ｓ１９）の詳細は図３を参照して後述するが、出力装置１０６の表示装置に撮像に関する所定の文字や画像を表示させ、操作装置１０８の所定操作に応じて撮像ユニット１００を制御する。撮像ユニット１００では、撮像素子１２による撮影画像の画像データ又はその圧縮データが画像メモリ１８に格納される。
【００４０】
撮像処理（Ｓ１９）の終了後、処理ユニット２００の制御回路１０２は、撮像ユニット１００の電源制御回路４０に指示して、撮像ユニット１００の各部への電源供給をオフにさせる（Ｓ２０）。この後、Ｓ２に戻る。
【００４１】
撮像スイッチがオフの時（Ｓ１６）、出力装置１０６の表示装置で所定の文字や画像を表示させ、操作装置１０８の入力を受け付け可能な状態にして、Ｓ２に戻る。
【００４２】
図３は、図２のＳ１９に示す撮像ルーチンの詳細なフローチャートを示す。制御回路１０２は撮像に際して必要な文字や画像を出力装置１０６の表示装置に表示し、撮像ユニット１００の撮像制御回路２４は、制御回路１０２からの指示に従い、撮像ユニット１００の各部を初期化する（Ｓ２１）。
【００４３】
出力装置１０６の表示装置に表示されるのは、シングル撮影、連続撮影、セルフタイマ撮影などの動作モード、測距・測光情報、フラッシュ３６の動作状態、撮像素子１２の感度を上げるゲイン・アップ動作状態、画像メモリ１８の使用状態、圧縮伸長回路２０の動作状態、記録媒体３００の記録動作状態、撮影枚数、撮影済み容量、残り容量などである。更には、レリーズ・ボタン、電子ダイヤル、モード・セレクト・ダイヤル等の一般的なカメラの操作部材を画像表示し、これらを、マウス、トラック・ボール、並びにタッチ・パネルと入力ペンにより操作入力するようにしてもよいことはいうまでもない。
【００４４】
制御回路１０２は、出力装置１０６の表示装置の全画面又は一部の画面に、撮像素子１４の撮影画像を連続して表示し、及び／又は記録媒体３００若しくは記憶回路１０６に記録若しくは記憶される画像を再生表示するファインダ機能を設定する。前者をスルー・モード又はスルー・モード表示と呼び、後者をメモリ・モード又はメモリ・モード表示と呼ぶ。画面の同じ領域をスルー・モードとメモリ・モードで切り換えて使用してもよいし、スルー・モードとメモリ・モードで画面の異なる領域を割り当ててもよい。
【００４５】
制御回路１０２は、操作装置１０８の撮像スイッチがオンで（Ｓ２２）、着信が無く（Ｓ２３）、且つ、着信があっても撮像優先モードである（Ｓ３３）ことを確認しながら、レリーズ・スイッチの操作を待つ。
【００４６】
即ち、制御回路１０２は先ず、操作装置１０８の撮像スイッチがオンか否かを調べ（Ｓ２２）、撮像スイッチがオフであれば、撮像制御回路２４に命令して撮像ユニット１００のための終了処理を実行させ（Ｓ３６）、出力装置１０６の表示画面の撮像表示及びファインダ表示を終了して、撮像処理（Ｓ１９）を終了する。
【００４７】
撮像スイッチがオンのとき（Ｓ２２）、着信検出回路１１２からの着信通知の有無を調べる（Ｓ２３）。着信要求があれば（Ｓ２３）、撮像を優先する撮像優先モード又は、通信を優先する通信優先モードの何れが操作装置１０８において設定されているかを確認する（Ｓ３３）。
【００４８】
通信優先モードの場合（Ｓ３３）、制御回路１０２は、出力装置１０６の表示装置で、通信処理を優先し撮像処理を終了する旨を警告し（Ｓ３５）、撮像制御回路２４に命令して撮像ユニット１００のための終了処理を実行させ（Ｓ３６）、出力装置１０６の表示画面の撮像表示及びファインダ表示を終了して、撮像処理（Ｓ１９）を終了する。
【００４９】
撮像優先モードの場合（Ｓ３３）、制御回路１０２は、出力装置１０６の表示装置で、撮像処理を優先するために、通信処理を禁止する旨を表示すると共に発信先の電話番号及びユーザＩＤ等の着信情報を表示し（Ｓ３４）、レリーズ操作を監視する。
【００５０】
レリーズ・スイッチにより測距・測光スイッチがオンになると（Ｓ２４）、制御回路１０２は撮像制御回路２４に測距及び測光を命じる。撮像制御回路２４は、測距回路３２及び測光回路３４による測距及び測光に従い、撮影レンズ１０の焦点を被写体に合わせ、シャッタ時間を決定する（Ｓ２５）。この測距及び測光動作の詳細は、後述する。
【００５１】
測距・測光スイッチがオンの間は、撮影開始スイッチがオンになるまで、測距及び測光動作（Ｓ２５）を繰り返す。この間に着信要求があると（Ｓ２６）、撮像優先モードか通信優先モードかを調べる（Ｓ３３）。通信優先モードの場合（Ｓ３３）、制御回路１０２は、出力装置１０６の表示装置で、通信処理を優先し撮像処理を終了する旨を警告し（Ｓ３５）、撮像制御回路２４に命令して撮像ユニット１００の終了処理を実行させ（Ｓ３６）、出力装置１０６の表示画面の撮像表示及びファインダ表示を終了して、撮像処理（Ｓ１９）を終了する。この終了処理（Ｓ３６）では、撮影済みの画像で記録媒体３００に未記録の画像を、記録媒体３００に記録する処理も行なう。
【００５２】
撮像優先モードの場合（Ｓ３３）、制御回路１０２は、出力装置１０６の表示装置で、撮像処理を優先するために、通信処理を禁止する旨を表示すると共に発信先の電話番号及びユーザＩＤ等の着信情報を表示し（Ｓ３４）、Ｓ２７に進む。
【００５３】
撮影開始スイッチがオンになると（Ｓ２７）、制御回路１０２は、撮影画像を記憶回路１０６又は記録媒体３００に記憶又は記録可能か否かを調べる（Ｓ２８）。記録可能な空き領域がないとか、記録媒体３００が外されているときには、出力装置１０６の表示装置により所定の警告を出力して（Ｓ３２）、Ｓ２２に戻る。記録可能なときには、制御回路１０２は撮像制御回路２４に撮影の実行を命令し、撮像制御回路２４はこれに応じて、シャッタ１２などを制御して撮影を実行し、撮影画像データを画像メモリ１８に格納する（Ｓ２９）。撮影動作の詳細は後述する。
【００５４】
連写モードのように撮影を連続する場合には（Ｓ３０）、Ｓ２６に進み、撮影開始スイッチがオンになるのを待つ（Ｓ２７）。撮影を連続しない場合には（Ｓ３０）、制御回路１０２は撮像制御回路２４に記録動作を命じる。これにより、画像メモリ１８に記憶される画像データが記憶回路１０６又は記録媒体３００に転送され、記憶又は記録され（Ｓ３１）、Ｓ２６に戻る。
【００５５】
即ち、撮像制御回路２４は、画像メモリ１８から画像データを読み出し、メモリ制御回路２２、インターフェース４４、及びコネクタ４６を介して処理ユニット２００に撮影画像データを転送し、処理ユニット２００は、撮像ユニット１００から受信した画像データをインターフェース１１６及びバス１３６を介して記憶回路１０４に、又は、更にインターフェース１３２及びコネクタ１３４を介して記録媒体３００に転送する。記録媒体３００では、受信したデータが記録素子２０２に書き込まれる。
【００５６】
測距・測光スイッチがオフになると（Ｓ２４）、Ｓ２２に戻り、撮像スイッチがオンか否かを再確認し（Ｓ２２）、上述の処理を繰り返す。
【００５７】
図４は、図３のＳ２５における測距・測光動作の詳細なフローチャートを示す。測距回路３２により被写体までの距離を測定し、撮像制御回路２４は、その測定距離データを内部メモリに記憶する（Ｓ４１）。測光回路３４により被写体の明るさを測定し、撮像制御回路２４は、その測光量データを内部メモリに記憶する（Ｓ４２）。測光値によりフラッシュが必要か否かを判断し（Ｓ４３）、必要ならば、フラッシュ・フラグをセットし、フラッシュ３６を充電する（Ｓ４４）。
【００５８】
図５は、図３のＳ２９における撮影動作の詳細なフローチャートを示す。撮像制御回路２４は、内部メモリに記憶される被写体距離データを読み出し、レンズ駆動回路３０により撮影レンズ１０のフォーカシング・レンズを駆動して、被写体に焦点を合わせる（Ｓ５１）。撮像制御回路２４はまた、当該内部メモリに記憶される測光データに従いシャッタ駆動回路２８によりシャッタ１２を開放して撮像素子１４を露光する（Ｓ５２，５３）。フラッシュ・フラグによりフラッシュが必要か否かを判断し（Ｓ５４）、必要な場合にはフラッシュ３６を発光させる（Ｓ５５）。撮像素子１４の露光終了を待ち（Ｓ５６）、シャッタ１２を閉成して（Ｓ５７）、撮像素子１４から電荷信号を読み出し、Ａ／Ｄ変換器１６及びメモリ制御回路２２を介して画像メモリ１８に撮影画像データを書き込む（Ｓ５８）。
【００５９】
図６は、図２のＳ１１における通信処理の詳細なフローチャートを示す。制御回路１０２は、通信制御回路１１０による通信に必要な初期設定などの開始処理を行ない（Ｓ６１）、操作装置１０８の通信スイッチがオンで（Ｓ６２）、且つ撮像スイッチがオフのとき（Ｓ６３）、通信を実行する（Ｓ６４）。通信を続けるときには（Ｓ６５）、Ｓ６２に戻り、通信を続けないときには、通信制御回路１１０に対し所定の終了処理を行なって（Ｓ６６）、通信処理を終了する。
【００６０】
通信スイッチがオフのときは（Ｓ６２）、通信制御回路１１０に対し所定の終了処理を行なって（Ｓ６６）、通信処理を終了する。
【００６１】
撮像スイッチがオンのとき（Ｓ６３）、操作装置１０８により撮像優先モード又は通信優先モードのどちらが設定されているかを調べ（Ｓ６７）、通信優先モードでは（Ｓ６７）、出力装置１０６の表示装置で撮像処理を禁止して通信処理を優先する旨を表示し（Ｓ６８）、Ｓ６４に進み、通信を実行する。撮像優先モードでは（Ｓ６７）、出力装置１０６の表示装置で通信処理を中断して撮像処理を優先する旨を警告し（Ｓ６９）、通信制御回路１１０に対し所定の終了処理を行なって（Ｓ６６）、通信処理を終了する。
【００６２】
Ｓ６３では、撮像スイッチのオン／オフに基づいて分岐するが、レリーズ・ボタン、モード切換えスイッチ等の、撮像ユニット１００の動作に関する入力操作に応じて分岐するようにしてもよい。
【００６３】
以上説明した動作により、本実施例では、通信と撮像を適切に動作させ、任意の一方を他方に対して優先させることができる。例えば、撮像動作中に着信した場合に、通信優先モードでは、撮像動作を終了して通信動作を実行し、撮像優先モードでは、着信を表示しつつ撮影を続行する。また、通信動作中に撮影したい場合にも、撮像優先モードでは、通信動作を即座に終了して撮影を開始できる。
【００６４】
図７は、図１の装置の第２の主動作フローチャートを示す。図７によれば、通信中に撮像スイッチが操作された場合に、通信回線を保留して、撮像を実行できるようになる。
【００６５】
処理ユニット２００に電源１２２を接続することにより、電源１２２の電池１２４の出力がコネクタ１２６，１２８を介して電源制御回路１３０に印加される。電源制御回路１３０は制御回路１０２及び記憶回路１０４に必要な電源電圧を供給し、制御回路１０２は記憶回路１０４に記憶される所定のプログラムを実行し、先ず初期設定する（Ｓ１０１）。
【００６６】
制御回路１０２は操作装置１０８のメイン・スイッチを調べる（Ｓ１０２）。メイン・スイッチがオフならば（Ｓ１０２）、制御回路１０２は、処理ユニット２００の各部で所定の終了処理を実行させた後、電源制御回路１３０に処理ユニット２００全体への電源供給を中止させる（Ｓ１０３）。メイン・スイッチがオンならば（Ｓ１０２）、制御回路１０２は、電源制御回路１３０に処理ユニット２００全体に電源を供給させ、出力装置１０６の映像表示装置に文字やアイコンなどの所定の映像を表示させる（Ｓ１０４）。
【００６７】
処理ユニット２００の全体が電源オン状態になると、着信の有無（Ｓ１０５）、通信スイッチのオン／オフ（Ｓ１０６）、及び撮像ユニット１００の接続の有無（Ｓ１０７）を調べる。撮像ユニット１００の接続の有無は、撮像ユニット着脱検出回路１２０により検出でき、撮像ユニット１００が装着されていないときには（Ｓ１０７）、映像及び／又は音声による所定の警告を出力装置１０６から出力させ（Ｓ１０８）、Ｓ１０２に戻る。
【００６８】
通信制御回路１１０内の着信検出回路１１２は、コネクタ１１４に接続する通信回線又は外部機器からの着信要求を検出する。着信要求があると、着信検出回路１１２は制御回路１０２に通知し、制御回路１０２は電源制御回路１３０に通知して、通信系に電源を供給させる（Ｓ１０９）。通信制御回路１１０は回線を接続し（Ｓ１１０）、通信を実行する（Ｓ１１１）。通信実行中に撮像スイッチがオンされているときには、Ｓ１０７にジャンプし（Ｓ１１２）、撮像スイッチがオフのままの時には（Ｓ１１２）、通信制御回路１１０は回線を切断し（Ｓ１１３）、電源制御回路１３０は通信系への電源供給を中止して（Ｓ１１４）、Ｓ１０２に戻る。
【００６９】
使用者が通信を望む場合には、操作装置１０８に含まれる通信スイッチを操作する。制御回路１０２は当該通信スイッチの操作に応じて、電源制御回路１３０に通信系へ電源を供給させる（Ｓ１１５）。そして、制御回路１０２は、操作装置１０８のテン・キーなどで入力された又は既登録の相手先電話番号若しくはアドレスなどに従い、通信制御回路１１０に発信要求（発呼）を出力させる（Ｓ１１６）。このアドレスには、ＷＡＮやＬＡＮなどのネットワークや電子メールにおけるユーザ・アドレス、ユーザ・コード及びユーザＩＤ等が含まれる。
【００７０】
外部機器又は通信相手との回線が確立すると（Ｓ１１０）、通信を実行する（Ｓ１１１）。通信実行中に撮像スイッチがオンされているときには、Ｓ１０７にジャンプし（Ｓ１１２）、撮像スイッチがオフのままの時には（Ｓ１１２）、通信制御回路１１０は回線を切断し（Ｓ１１３）、電源制御回路１３０は通信系への電源供給を中止して（Ｓ１１４）、Ｓ１０２に戻る。
【００７１】
通信スイッチがオフのとき（Ｓ１０６）、又は通信中に撮像スイッチがオンにされたとき（Ｓ１１２）、撮像ユニット１００が処理ユニット２００に装着されているか否かを調べる（Ｓ１０７）。撮像ユニット１００が処理ユニット２００に装着されているとき（Ｓ１０７）、制御回路１０２は、操作装置１０８の撮像スイッチを調べる（Ｓ１１７）。撮像スイッチがオンのとき（Ｓ１１７）、プログラム記憶回路４２に記憶されている撮像プログラム（撮像ユニット１００を制御するプログラム）をインターフェース４４、コネクタ４６，１１８、インターフェース１１６及びバス１３６を介して読み込み、記憶回路１０４に格納する（Ｓ１１８）。
【００７２】
撮像プログラムを記憶回路１０４に格納した後（Ｓ１１８）、撮像ユニット１００の電源制御回路４０に指示して、撮像ユニット１００を電源供給状態にする（Ｓ１１９）。次に、記憶回路１０４に格納される撮像プログラムを実行して、撮像ユニット１００に撮影を実行させる（Ｓ１２０）。この撮影ルーチン（Ｓ１２０）の詳細は、図８を参照して後述する。
【００７３】
撮像処理（Ｓ１２０）の終了後、処理ユニット２００の制御回路１０２は、撮像ユニット１００の電源制御回路４０に指示して、撮像ユニット１００の各部への電源供給をオフにさせる（Ｓ１２１）。この後、Ｓ１０２に戻る。
【００７４】
撮像スイッチがオフの時（Ｓ１１７）、出力装置１０６の表示装置で所定の文字や画像を表示させ、操作装置１０８の入力を受け付け可能な状態にして、Ｓ１０２に戻る。
【００７５】
図８は、図７のＳ１９に示す撮像ルーチンの詳細なフローチャートを示す。図３と異なるのは、撮像優先モードで、通信中に撮像スイッチがオンされた場合の、回線の処理と通信系への電源供給制御の処理（Ｓ１４４，１４７，１４８）が加わっている点である。
【００７６】
制御回路１０２は撮像に際して必要な文字や画像を出力装置１０６の表示装置に表示し、撮像ユニット１００の撮像制御回路２４は、制御回路１０２からの指示に従い、撮像ユニット１００の各部を初期化する（Ｓ１３１）。
【００７７】
出力装置１０６の表示装置に表示されるのは、シングル撮影、連続撮影、セルフタイマ撮影などの動作モード、測距・測光情報、フラッシュ３６の動作状態、撮像素子１２の感度を上げるゲイン・アップ動作状態、画像メモリ１８の使用状態、圧縮伸長回路２０の動作状態、記録媒体３００の記録動作状態、撮影枚数、撮影済み容量、残り容量などである。更には、レリーズ・ボタン、電子ダイヤル、モード・セレクト・ダイヤル等の一般的なカメラの操作部材を画像表示し、これらを、マウス、トラック・ボール、並びにタッチ・パネルと入力ペンにより操作入力するようにしてもよいことはいうまでもない。
【００７８】
制御回路１０２は、出力装置１０６の表示装置の全画面又は一部の画面に、撮像素子１４の撮影画像を連続して表示し、及び／又は記録媒体３００若しくは記憶回路１０６に記録若しくは記憶される画像を再生表示するファインダ機能を設定する。前者をスルー・モード又はスルー・モード表示と呼び、後者をメモリ・モード又はメモリ・モード表示と呼ぶ。画面の同じ領域をスルー・モードとメモリ・モードで切り換えて使用してもよいし、スルー・モードとメモリ・モードで画面の異なる領域を割り当ててもよい。
【００７９】
制御回路１０２は、操作装置１０８の撮像スイッチがオンで（Ｓ１３２）、着信が無く（Ｓ１３３）、且つ、着信があっても撮像優先モードである（Ｓ１４３）ことを確認しながら、レリーズ・スイッチの操作を待つ。
【００８０】
即ち、制御回路１０２は先ず、操作装置１０８の撮像スイッチがオンか否かを調べ（Ｓ１３２）、撮像スイッチがオフであれば、撮像制御回路２４に命令して撮像ユニット１００のための終了処理を実行させ（Ｓ１４６）、出力装置１０６の表示画面の撮像表示及びファインダ表示を終了して、撮像処理（Ｓ１２０）を終了する。
【００８１】
撮像スイッチがオンのとき（Ｓ１３２）、着信検出回路１１２からの着信通知の有無を調べる（Ｓ１３３）。着信要求があれば（Ｓ１３３）、撮像を優先する撮像優先モード又は、通信を優先する通信優先モードの何れが操作装置１０８において設定されているかを確認する（Ｓ１４３）。
【００８２】
通信優先モードの場合（Ｓ１４３）、制御回路１０２は、出力装置１０６の表示装置で、通信処理を優先し撮像処理を終了する旨を警告し（Ｓ１４５）、撮像制御回路２４に命令して撮像ユニット１００のための終了処理を実行させ（Ｓ１４６）、出力装置１０６の表示画面の撮像表示及びファインダ表示を終了して、撮像処理（Ｓ１２０）を終了する。
【００８３】
撮像優先モードの場合（Ｓ１４３）、制御回路１０２は、接続されている通信回線を保留すべきか否かを判断し（Ｓ１４４）、保留するときには、出力装置１０６の表示装置で、通信回線を保留して撮像処理を優先する旨及び発信先の電話番号及びユーザＩＤ等の着信情報を表示して、Ｓ１３７に進み、レリーズ操作を監視する。
【００８４】
また、通信回線を保留しないとき（Ｓ１４４）、制御回路１０２は、出力装置１０６の表示装置で、撮像処理を優先するために、通信処理を禁止する旨を表示すると共に発信先の電話番号及びユーザＩＤ等の着信情報を表示し、通信制御回路１１０により通信回線を切断させ（Ｓ１４７）、電源制御回路１３０により通信系への電源供給を遮断させ（Ｓ１４８）、Ｓ１３７に進んで、レーズ操作を監視する。
【００８５】
レリーズ・スイッチにより測距・測光スイッチがオンになると（Ｓ１３４）、制御回路１０２は撮像制御回路２４に測距及び測光を命じる。撮像制御回路２４は、測距回路３２及び測光回路３４による測距及び測光に従い、撮影レンズ１０の焦点を被写体に合わせ、シャッタ時間を決定する（Ｓ１３５）。この測距及び測光動作の詳細は、図４に示されている。
【００８６】
測距・測光スイッチがオンの間は（Ｓ１３４）、撮影開始スイッチがオンになるまで（Ｓ１３７）、測距及び測光動作（Ｓ１３５）を繰り返す。この間に着信要求があると（Ｓ１３６）、撮像優先モードか通信優先モードかを調べる（Ｓ１４３）。通信優先モードの場合（Ｓ１４３）、制御回路１０２は、出力装置１０６の表示装置で、通信処理を優先し撮像処理を終了する旨を警告し（Ｓ１４５）、撮像制御回路２４に命令して撮像ユニット１００の終了処理を実行させ（Ｓ１４６）、出力装置１０６の表示画面の撮像表示及びファインダ表示を終了して、撮像処理（Ｓ１２０）を終了する。この終了処理（Ｓ１４６）では、撮影済みの画像で記録媒体３００に未記録の画像を、記録媒体３００に記録する処理も行なう。
【００８７】
撮像優先モードの場合（Ｓ１４３）、制御回路１０２は、接続されている通信回線を保留すべきか否かを判断し（Ｓ１４４）、保留するときには、出力装置１０６の表示装置で、通信回線を保留して撮像処理を優先する旨及び発信先の電話番号及びユーザＩＤ等の着信情報を表示して、Ｓ１３７に進み、レリーズ操作を監視する。
【００８８】
また、通信回線を保留しないとき（Ｓ１４４）、制御回路１０２は、出力装置１０６の表示装置で、撮像処理を優先するために、通信処理を禁止する旨を表示すると共に発信先の電話番号及びユーザＩＤ等の着信情報を表示し、通信制御回路１１０により通信回線を切断させ（Ｓ１４７）、電源制御回路１３０により通信系への電源供給を遮断させ（Ｓ１４８）、Ｓ１３７に進んで、レーズ操作を監視する。
【００８９】
なお、通信回線を保留する時間は、予め決めた一定時間であっても、操作装置１０８により任意に又は複数の所定値から任意に選択できるものであってもよい。いうまでもないが、保留時間経過するまでに通信回線の利用を開始しなければ、当然に通信回線は切断されることになる。
【００９０】
撮影開始スイッチがオンになると（Ｓ１３７）、制御回路１０２は、撮影画像を記憶回路１０６又は記録媒体３００に記憶又は記録可能か否かを調べる（Ｓ１３８）。記録可能な空き領域がないとか、記録媒体３００が外されているときには、出力装置１０６の表示装置により所定の警告を出力して（Ｓ１４２）、Ｓ１３２に戻る。記録可能なときには、制御回路１０２は撮像制御回路２４に撮影の実行を命令し、撮像制御回路２４はこれに応じて、シャッタ１２などを制御して撮影を実行し、撮影画像データを画像メモリ１８に格納する（Ｓ１３９）。撮影動作（Ｓ１３９）の詳細は、図５に示されている。
【００９１】
連写モードのように撮影を連続する場合には（Ｓ１４０）、Ｓ１３６に進み、撮影開始スイッチがオンになるのを待つ（Ｓ１３７）。撮影を連続しない場合には（Ｓ１４０）、制御回路１０２は撮像制御回路２４に記録動作を命じる。これにより、画像メモリ１８に記憶される画像データが記憶回路１０６又は記録媒体３００に転送され、記憶又は記録され（Ｓ１４１）、Ｓ１３６に戻る。
【００９２】
即ち、撮像制御回路２４は、画像メモリ１８から画像データを読み出し、メモリ制御回路２２、インターフェース４４、及びコネクタ４６を介して処理ユニット２００に撮影画像データを転送し、処理ユニット２００は、撮像ユニット１００から受信した画像データをインターフェース１１６及びバス１３６を介して記憶回路１０４に、又は、更にインターフェース１３２及びコネクタ１３４を介して記録媒体３００に転送する。記録媒体３００では、受信したデータが記録素子２０２に書き込まれる。
【００９３】
測距・測光スイッチがオフになると（Ｓ１３４）、Ｓ１３２に戻り、撮像スイッチがオンか否かを再確認し（Ｓ１３２）、上述の処理を繰り返す。
【００９４】
図９は、図７のＳ１１１における通信処理の詳細なフローチャートを示す。
【００９５】
制御回路１０２は、通信回線を保留しているとき（Ｓ１５１）、保留を解除し（Ｓ１５８）、Ｓ１５５に進む。
【００９６】
通信回線の保留中でなければ（Ｓ１５１）、制御回路１０２は、通信制御回路１１０による通信に必要な初期設定などの開始処理を行ない（Ｓ１５２）、操作装置１０８の通信スイッチがオンで（Ｓ１５３）、且つ撮像スイッチがオフのとき（Ｓ１５４）、通信を実行する（Ｓ１５５）。通信を続けるときには（Ｓ１５６）、Ｓ１５３に戻り、通信を続けないときには、通信制御回路１１０に対し所定の終了処理を行なって（Ｓ１５７）、通信処理を終了する。
【００９７】
通信スイッチがオフのときは（Ｓ１５３）、通信制御回路１１０に対し所定の終了処理を行なって（Ｓ１５７）、通信処理を終了する。
【００９８】
撮像スイッチがオンのとき（Ｓ１５４）、操作装置１０８により撮像優先モード又は通信優先モードのどちらが設定されているかを調べる（Ｓ１５９）。通信優先モードでは（Ｓ１５９）、出力装置１０６の表示装置で撮像処理を禁止して通信処理を優先する旨を表示して（Ｓ１６０）、Ｓ１５５に進み、通信を実行する。撮像優先モードでは（Ｓ１５９）、通信回線を保留設定すると共に、出力装置１０６の表示装置で通信処理を中断して撮像処理を優先する旨を警告し（Ｓ１６１）、撮像スイッチをオン状態にホールドし（Ｓ１６２）、通信制御回路１１０に回線保留に必要な中断処理を行なって（１５７）、通信処理を終了する。
【００９９】
Ｓ１５４では、撮像スイッチのオン／オフに基づいて分岐するが、レリーズ・ボタン、モード切換えスイッチ等の、撮像ユニット１００の動作に関する入力操作に応じて分岐するようにしてもよい。
【０１００】
以上説明した動作により、本実施例では、例えば、撮像動作中に着信した場合に、通信優先モードでは、撮像動作を終了して通信動作を実行し、撮像優先モードでは、回線を保留状態にして撮影を続行する。また、通信動作中に撮影したい場合にも、撮像優先モードでは、通信回線を保留状態にして撮影を開始できる。
【０１０１】
また、通信動作中に撮像指令入力があった場合、図９のＳ１５９では、通信回線の保留を優先モードの判定に応じて決定しているが、予め登録した電話番号又はユーザＩＤなどにより回線保留又は切断を決定するようにしてもよい。撮像動作中に着信した場合、図８の１４３でも、通信回線の保留を優先モードの判定に応じて決定しているが、これも、予め登録した電話番号又はユーザＩＤなどにより回線保留又は切断を決定するようにしてもよい。
【０１０２】
次に、本実施例の第３の動作例を説明する。図１０は、その主たるフローチャートを示す。図１０には、自動送信機能を付加した。
【０１０３】
処理ユニット２００に電源１２２を接続することにより、電源１２２の電池１２４の出力がコネクタ１２６，１２８を介して電源制御回路１３０に印加される。電源制御回路１３０は制御回路１０２及び記憶回路１０４に必要な電源電圧を供給し、制御回路１０２は記憶回路１０６に記憶される所定のプログラムを実行し、先ず初期設定する（Ｓ２０１）。
【０１０４】
制御回路１０２は操作装置１０８のメイン・スイッチを調べる（Ｓ２０２）。メイン・スイッチがオフならば（Ｓ２０２）、制御回路１０２は、処理ユニット２００の各部で所定の終了処理を実行させた後、電源制御回路１３０に処理ユニット２００全体への電源供給を中止させる（Ｓ２０３）。メイン・スイッチがオンならば（Ｓ２０２）、制御回路１０２は、電源制御回路１３０に処理ユニット２００全体に電源を供給させ、出力装置１０６の映像表示装置に文字やアイコンなどの所定の映像を表示させる（Ｓ２０４）。
【０１０５】
処理ユニット２００の全体が電源オン状態になると、着信の有無（Ｓ２０５）、通信スイッチのオン／オフ（Ｓ２０６）、及び撮像ユニット１００の接続の有無（Ｓ２０７）を調べる。撮像ユニット１００の接続の有無は、撮像ユニット着脱検出回路１２０により検出でき、撮像ユニット１００が装着されていないときには（Ｓ２０７）、映像及び／又は音声による所定の警告を出力装置１０６から出力させ（Ｓ２０８）、Ｓ２０２に戻る。
【０１０６】
通信制御回路１１０内の着信検出回路１１２は、コネクタ１１４に接続する通信回線又は外部機器からの着信要求を検出する。着信要求があると（Ｓ２０５）、着信検出回路１１２は制御回路１０２に通知し、制御回路１０２は電源制御回路１３０に通知して、通信系に電源を供給させる（Ｓ２０９）。通信制御回路１１０は回線を接続し（Ｓ２１０）、通信を実行する（Ｓ２１１）。通信終了後、通信制御回路１１０は回線を切断し（Ｓ２１２）、電源制御回路１３０は通信系への電源供給を中止して（Ｓ２１３）、Ｓ２０２に戻る。
【０１０７】
使用者が通信を望む場合には、操作装置１０８に含まれる通信スイッチを操作する。制御回路１０２は当該通信スイッチの操作に応じて（Ｓ２０６）、電源制御回路１３０に通信系へ電源を供給させる（Ｓ２１４）。そして、制御回路１０２は、操作装置１０８のテン・キーなどで入力された又は既登録の相手先電話番号若しくはアドレスなどに従い、通信制御回路１１０に発信要求（発呼）を出力させる（Ｓ２１５）。このアドレスには、ＷＡＮやＬＡＮなどのネットワークや電子メールにおけるユーザ・アドレス、ユーザ・コード及びユーザＩＤ等が含まれる。
【０１０８】
外部機器又は通信相手との回線が確立すると（Ｓ２１０）、通信を実行する（Ｓ２１１）。通信終了後、通信制御回路１１０は回線を切断し（Ｓ２１２）、電源制御回路１３０は通信系への電源供給を中止して（Ｓ２１３）、Ｓ２０２に戻る。
【０１０９】
通信スイッチがオフのとき（Ｓ２０６）、撮像ユニット１００が処理ユニット２００に装着されているか否かを調べる（Ｓ２０７）。撮像ユニット１００が処理ユニット２００に装着されているとき（Ｓ２０７）、制御回路１０２は、操作装置１０８の撮像スイッチを調べる（Ｓ２１６）。撮像スイッチがオンのとき（Ｓ２１６）、プログラム記憶回路４２に記憶されている撮像プログラム（撮像ユニット１００を制御するプログラム）をインターフェース４４、コネクタ４６，１１８、インターフェース１１６及びバス１３６を介して読み込み、記憶回路１０４に格納する（Ｓ２１７）。
【０１１０】
撮像プログラムを記憶回路１０４に格納した後（Ｓ２１７）、撮像ユニット１００の電源制御回路４０に指示して、撮像ユニット１００を電源供給状態にする（Ｓ２１８）。次に、記憶回路１０４に格納される撮像プログラムを実行して、撮像ユニット１００に撮影を実行させる（Ｓ２１９）。この撮影ルーチン（Ｓ２１９）の詳細は、図８と同じでよい。
【０１１１】
撮像処理（Ｓ２１９）の終了後、処理ユニット２００の制御回路１０２は、撮像ユニット１００の電源制御回路４０に指示して、撮像ユニット１００の各部への電源供給をオフにさせる（Ｓ２２０）。自動送信が設定されていれば（Ｓ２２１）、制御回路１０２は、送信先の電話番号、ユーザＩＤ等の送信先アドレスをプログラム格納回路４２又は記憶回路１０４から読み出して設定し（Ｓ２２２）、Ｓ２１４に進み、通信を実行する。
【０１１２】
自動送信が設定されていなければ（Ｓ２２１）、出力装置１０６の表示装置に文字やアイコン等の所定の画像を表示させ、操作装置１０８の入力を受付け可能な状態にして、Ｓ２０２に戻る。
【０１１３】
撮像スイッチがオフの時（Ｓ２１６）、出力装置１０６の表示装置で所定の文字や画像を表示させ、操作装置１０８の入力を受け付け可能な状態にして、Ｓ２０２に戻る。
【０１１４】
図１０では、オート・ダイヤル機能が実現され、撮影した画像を予め設定しておいた送信先に自動送信できる。撮像動作の終了後に画像送信する例を説明したが、撮像しながら送信を実行してもよい。
【０１１５】
次に、本実施例の第４の動作例を説明する。図１１は、その主たるフローチャートを示す。図１１には、通信相手に関する情報（電話番号やユーザＩＤ等）を、送信又は受信した画像と一緒に記録媒体３００に自動登録する機能を付加した。
【０１１６】
処理ユニット２００に電源１２２を接続することにより、電源１２２の電池１２４の出力がコネクタ１２６，１２８を介して電源制御回路１３０に印加される。電源制御回路１３０は制御回路１０２及び記憶回路１０４に必要な電源電圧を供給し、制御回路１０２は記憶回路１０４に記憶される所定のプログラムを実行し、先ず初期設定する（Ｓ３０１）。
【０１１７】
制御回路１０２は操作装置１０８のメイン・スイッチを調べる（Ｓ３０２）。メイン・スイッチがオフならば（Ｓ３０２）、制御回路１０２は、処理ユニット２００の各部で所定の終了処理を実行させた後、電源制御回路１３０に処理ユニット２００全体への電源供給を中止させる（Ｓ３０３）。メイン・スイッチがオンならば（Ｓ３０２）、制御回路１０２は、電源制御回路１３０に処理ユニット２００全体に電源を供給させ、出力装置１０６の映像表示装置に文字やアイコンなどの所定の映像を表示させる（Ｓ３０４）。
【０１１８】
処理ユニット２００の全体が電源オン状態になると、着信の有無（Ｓ３０５）、通信スイッチのオン／オフ（Ｓ３０６）、及び撮像ユニット１００の接続の有無（Ｓ３０７）を調べる。撮像ユニット１００の接続の有無は、撮像ユニット着脱検出回路１２０により検出でき、撮像ユニット１００が装着されていないときには（Ｓ３０７）、映像及び／又は音声による所定の警告を出力装置１０６から出力させ（Ｓ３０８）、Ｓ３０２に戻る。
【０１１９】
通信制御回路１１０内の着信検出回路１１２は、コネクタ１１４に接続する通信回線又は外部機器からの着信要求を検出する。着信要求があると（Ｓ３０５）、着信検出回路１１２は制御回路１０２に通知し、制御回路１０２は電源制御回路１３０に通知して、通信系に電源を供給させる（Ｓ３０９）。通信制御回路１１０は回線を接続し（Ｓ３１０）、通信を実行する（Ｓ３１１）。通信終了後、電話番号やユーザＩＤ等の相手情報を自動保存する設定になっている場合（Ｓ３１２）、送信した画像と関連付けて、その相手情報を記録媒体３００に記録する（Ｓ３１３）。通信制御回路１１０は回線を切断し（Ｓ３１４）、電源制御回路１３０は通信系への電源供給を中止して（Ｓ３１５）、Ｓ３０２に戻る。
【０１２０】
使用者が通信を望む場合には、操作装置１０８に含まれる通信スイッチを操作する。制御回路１０２は当該通信スイッチの操作に応じて（Ｓ３０６）、電源制御回路１３０に通信系へ電源を供給させる（Ｓ３１６）。そして、制御回路１０２は、操作装置１０８のテン・キーなどで入力された又は既登録の相手先電話番号若しくはアドレスなどに従い、通信制御回路１１０に発信要求（発呼）を出力させる（Ｓ３１７）。このアドレスには、ＷＡＮやＬＡＮなどのネットワークや電子メールにおけるユーザ・アドレス、ユーザ・コード及びユーザＩＤ等が含まれる。
【０１２１】
外部機器又は通信相手との回線が確立すると（Ｓ３１０）、通信を実行する（Ｓ３１１）。通信終了後、電話番号やユーザＩＤ等の相手情報を自動保存する設定になっている場合（Ｓ３１２）、送信した画像と関連付けて、その相手情報を記録媒体３００に記録する（Ｓ３１３）。通信制御回路１１０は回線を切断し（Ｓ３１４）、電源制御回路１３０は通信系への電源供給を中止して（Ｓ３１５）、Ｓ３０２に戻る。
【０１２２】
通信スイッチがオフのとき（Ｓ３０６）、撮像ユニット１００が処理ユニット２００に装着されているか否かを調べる（Ｓ３０７）。撮像ユニット１００が処理ユニット２００に装着されているとき（Ｓ３０７）、制御回路１０２は、操作装置１０８の撮像スイッチを調べる（Ｓ３１８）。撮像スイッチがオンのとき（Ｓ３１８）、プログラム記憶回路４２に記憶されている撮像プログラム（撮像ユニット１００を制御するプログラム）をインターフェース４４、コネクタ４６，１１８、インターフェース１１６及びバス１３６を介して読み込み、記憶回路１０４に格納する（Ｓ３１９）。
【０１２３】
撮像プログラムを記憶回路１０４に格納した後（Ｓ３１９）、撮像ユニット１００の電源制御回路４０に指示して、撮像ユニット１００を電源供給状態にする（Ｓ３２０）。次に、記憶回路１０４に格納される撮像プログラムを実行して、撮像ユニット１００に撮影を実行させる（Ｓ３２１）。この撮影ルーチン（Ｓ３２１）の詳細は、図８と同じでよい。
【０１２４】
撮像処理（Ｓ３２１）の終了後、処理ユニット２００の制御回路１０２は、撮像ユニット１００の電源制御回路４０に指示して、撮像ユニット１００の各部への電源供給をオフにさせる（Ｓ３２２）。そして、出力装置１０６の表示装置に文字やアイコン等の所定の画像を表示させ、操作装置１０８の入力を受付け可能な状態にして、Ｓ３０２に戻る。
【０１２５】
撮像スイッチがオフの時（Ｓ３１８）、出力装置１０６の表示装置で所定の文字や画像を表示させ、操作装置１０８の入力を受け付け可能な状態にして、Ｓ３０２に戻る。
【０１２６】
図１１では、撮影した画像を送信する場合に、受信者アドレスなどの相手情報を自動的に保存する。この相手情報の保存は、通信終了後でも、通信中であってもよい。
【０１２７】
図１２は、撮像ユニット１００の正面側から見た外観斜視図、図１３は、コネクタ４６の側から見た外観斜視図を示す。正面には、フラッシュ３６の窓３０２、測距回路３２による測距のための窓３０４、色バランス調節用の受光窓３０６、測光回路３４による測光のための窓３０８、及び撮影用の窓３１０が並んでいる。
【０１２８】
図１４は、処理ユニット２００に図１２及び図１３に示す撮像ユニットを装着した状況の操作側から見た斜視図、図１５は、撮像窓側から見た斜視図である。図１４に示すように、スルー・モード又はメモリ・モードで画像を表示すると共に、撮像ユニット１００の動作状態や操作方法などを表示する。操作装置１０８の一部又は全部を透過型タッチ・パネルとし、表示装置と一体化してもよいことは勿論である。
【０１２９】
図１６及び図１７は、無線機タイプに構成した外観図であり、図１６は操作側から見た斜視図、図１７は撮像窓側から見た斜視図を示す。外形的には小型携帯電話に類似した形状になっている。ここでは、撮像ユニット１００の動作状態や操作方法などを表示する表示ウインドウ上に、スルー・モード又はメモリ・モードで画像を表示する表示ウインドウを重ねている。
【０１３０】
処理ユニット２００に対する撮像ユニット１００の角度に応じて、撮像スイッチ及び通信スイッチをオン又はオフするようにしてもよい。即ち、処理ユニット２００に対して撮像ユニット１００を所定角度に設定すると、上述の撮像スイッチがオンになり、その位置からずらすとオフになるように構成してもよい。また、電話等の通信に適した角度に開くと、撮像スイッチがオフになるようにしてもよい。
【０１３１】
例えば、顔の横におしあてて通話できる程度に処理ユニット２００を９０度以上に開くと、撮像スイッチをオフにするように構成する。処理ユニット２００を９０度程度に開いたときに、撮像ユニット１００を使用するとして、撮像スイッチをオンにする。このためには、撮像スイッチを処理ユニット２００のヒンジ部の近傍に配置すればよい。
【０１３２】
撮像ユニット１００の窓３０２〜３１０の一部又は全部を覆うカバーを設け、そのカバーを外すと、撮像スイッチがオンになり、カバーをかけると撮像スイッチがオフになるようにしてもよい。
【０１３３】
上記実施例では、記録媒体３００の記録素子２０２として半導体メモリを用いたが、本発明は、記録媒体の種別には限定されない。即ち、その他に、磁気ディスク、光磁気ディスク、光ディスク、磁気テープ等を使用できる。記録素子２０２がこれらの異なる種類の記録素子を組み合わせたものであってもよい。また、処理ユニット２００に複数の記録媒体３００を接続できるように構成できることは明らかである。記録媒体３００の一部を固定し、残りを取り外し自在としてもよい。
【０１３４】
通信制御回路１１０を処理ユニット２００から取り外し自在としてもよく、また、複数設けてもよい。
【０１３５】
撮像ユニット１００には画像入力回路のみを図示したが、音声入力回路を設けて、撮像と録音を同時に行なえるようにしてもよい。基本的な処理は上記各動作例で説明したのと変わりはない。
【０１３６】
【発明の効果】
以上の説明から分かるように、第１の発明によれば、通信手段で通信中に撮像手段による撮像操作を行うと、通信手段による通信を中止して撮像操作を開始するので、通信中に急に撮像したい場面に遭遇した場合であっても、シャッタチャンスを逃すことを防止できる。
また、第２の発明によれば、撮像手段による撮像動作よりも通信手段による通信を優先させるモードであるときには、通信手段で通信中に撮像手段による撮像操作を行っても、撮像操作を拒否して通信を続行するよう制御するので、例えば、通信中の通信を切断して撮像操作を行うことができる装置であっても、不用意に撮像操作を行って重要な通信が中断してしまうことを防止できる。
また、第３の発明によれば、通信手段による通信よりも撮像手段による撮像動作を優先させるモードである場合で、且つ通信手段で通信中に撮像手段による撮像操作を行うと、通信を保留にして撮像操作を実行するよう制御するので、通信を切らずにシャッタチャンスを逃さず撮像を行うことができる。
また、さらに、保留状態が一定時間経過したら、通信を切断するようにすることで、過剰に保留状態になって無駄な通信料がかかってしまうことを防止できる。
【図面の簡単な説明】
【図１】  本発明の一実施例の概略構成ブロック図である。
【図２】  本実施例の第１の動作例の主フローチャートである。
【図３】  図２のＳ１９の詳細なフローチャートである。
【図４】  図３のＳ２５の詳細なフローチャートである。
【図５】  図３のＳ２９の詳細なフローチャートである。
【図６】  図２のＳ１１の詳細なフローチャートである。
【図７】  本実施例の第２の動作例の主フローチャートである。
【図８】  図７のＳ１２０の詳細なフローチャートである。
【図９】  図７のＳ１１１の詳細なフローチャートである。
【図１０】  本実施例の第３の動作例の主フローチャートである。
【図１１】  本実施例の第４の動作例の主フローチャートである。
【図１２】  本実施例の撮像ユニット１００を正面から見た外観斜視図である。
【図１３】  本実施例の撮像ユニット１００を裏面から見た外観斜視図である。
【図１４】  操作側から見た全体の斜視図である。
【図１５】  撮像窓側から見た全体の斜視図である。
【図１６】  無線機タイプで、操作側から見た全体の斜視図である。
【図１７】  無線機タイプで、撮像窓側から見た全体の斜視図である。
【符号の説明】
１００：撮像ユニット
２００：処理ユニット
３００：記録媒体
１０：撮影レンズ
１２：シャッタ
１４：撮像素子
１６：Ａ／Ｄ変換器
１８：画像メモリ
２０：圧縮伸長回路
２２：メモリ制御回路
２４：撮像制御回路（ＣＰＵ）
２６：クロック発生回路
２８：シャッタ駆動回路
３０：レンズ駆動回路
３２：測距回路
３４：測光回路
３６：フラッシュ
３８：電池
４０：電源制御回路
４２：プログラム記憶回路
４４：インターフェース
４６：コネクタ
１０２：制御回路（ＣＰＵ）
１０４：記憶回路
１０６：出力装置
１０８：操作装置
１１０：通信制御回路
１１２：着信検出回路
１１４：コネクタ
１１６：インターフェース
１１８：コネクタ
１２０：撮像ユニット着脱検出回路
１２２：電源
１２４：電池
１２６：コネクタ
１２８：コネクタ
１３０：電源制御回路
１３２：インターフェース
１３４：コネクタ
１３６：バス
２０２：記録素子
２０４：インターフェース
２０６：コネクタ
３０２：フラッシュ窓
３０４：測距窓
３０６：色バランス調節用受光窓
３０８：測光窓
３１０：撮影窓
【図１】
0003652197.tif 000002
【図２】
0003652197.tif 000003
【図３】
0003652197.tif 000004
【図４】
0003652197.tif 000005
【図５】
0003652197.tif 000006
【図６】
0003652197.tif 000007
【図７】
0003652197.tif 000008
【図８】
0003652197.tif 000009
【図９】
0003652197.tif 000010
【図１０】
0003652197.tif 000011
【図１１】
0003652197.tif 000012
【図１２】
0003652197.tif 000013
【図１３】
0003652197.tif 000014
【図１４】
0003652197.tif 000015
【図１５】
0003652197.tif 000016
【図１６】
0003652197.tif 000017
【図１７】
0003652197.tif 000018